【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  下記の段階を含む、有機材料を分解または解毒する蛋白質を尿中に生成させる方法：
（a）尿中に検出可能で、且つ有機材料を分解または解毒する蛋白質をコードする外因性の遺伝子をそのゲノムに安定的に組み入れられたヒト以外のトランスジェニック動物を提供する段階。
【請求項２】  トランスジェニック動物が哺乳類である、請求項１記載の方法。
【請求項３】  トランスジェニック動物がブタ、ヒツジ、ヤギ、ウシ、齧歯類、ウサギ、ウマ、イヌ、ネコ、鳥類、および爬虫類からなる群より選択される、請求項１記載の方法。
【請求項４】  蛋白質が酵素である、請求項１記載の方法。
【請求項５】  酵素が図７における酵素のリストからなる群より選択される、請求項４記載の方法。
【請求項６】  有機材料が糞、尿、微生物、化学汚染物質またはその副産物、および食品またはその副産物である、請求項１記載の方法。
【請求項７】  化学汚染物質が、除草剤、殺虫剤および肥料からなる群より選択される、請求項６記載の方法。
【請求項８】  有機材料を分解または解毒する蛋白質をその尿中に生成するヒト以外のトランスジェニック動物であって、有機材料を分解または解毒し、且つ尿中に検出される蛋白質をコードする外因性遺伝子をそのゲノムに安定的に組み入れられたトランスジェニック動物。
【請求項９】  哺乳類である、請求項８記載のトランスジェニック動物。
【請求項10】  ブタ、ヒツジ、ヤギ、ウシ、齧歯類、ウサギ、ウマ、イヌ、ネコ、鳥類、および爬虫類からなる群より選択される、請求項８記載のトランスジェニック動物。
【請求項11】  有機材料が糞、尿、微生物、化学汚染物質またはその副産物、および食品またはその副産物である、請求項８記載のトランスジェニック動物。
【請求項12】  有機材料がトランスジェニック動物、または異なる動物によって生成される、請求項８記載のトランスジェニック動物。
【請求項13】  化学汚染物質が、除草剤、殺虫剤および肥料からなる群より選択される、請求項11記載のトランスジェニック動物。
【請求項14】  蛋白質が酵素である、請求項８記載のトランスジェニック動物。
【請求項15】  酵素が図７に記載の酵素の群より選択される、請求項14記載のトランスジェニック動物。
【請求項16】  下記の段階を含む、有機材料を分解または解毒する方法：
（a）尿中に検出可能で、且つ有機材料を分解または解毒する蛋白質をコードする外因性の遺伝子をそのゲノムに安定的に組み入れられたヒト以外のトランスジェニック動物を提供する段階；ならびに
（b）該有機材料を該尿と接触させ、それによって該有機材料を分解または解毒する段階。
【請求項17】  接触させる段階が有機材料と尿を混合する段階を含む、請求項16記載の方法。
【請求項18】  接触させる段階が、ヒト以外のトランスジェニック動物を有機老廃物の上に排尿させる段階を含む、請求項16記載の方法。
【請求項19】  トランスジェニック動物が哺乳類である、請求項16記載の方法。
【請求項20】  トランスジェニック動物がブタ、ヒツジ、ヤギ、ウシ、齧歯類、ウサギ、ウマ、イヌ、ネコ、鳥類、および爬虫類からなる群より選択される、請求項16記載の方法。
【請求項21】  有機材料が糞、尿、微生物、化学汚染物質またはその副産物、および食品またはその副産物からなる群より選択される、請求項16記載の方法。
【請求項22】  化学汚染物質が除草剤、殺虫剤および肥料からなる群より選択される、請求項21記載の方法。
【請求項23】  蛋白質が酵素である、請求項16記載の方法。
【請求項24】  酵素が図７に記載の酵素からなる群より選択される、請求項23記載の方法。
【請求項25】  以下を含む、動物を収容するための施設：
（a）尿中に検出可能であって、且つ有機材料を分解または解毒する蛋白質をコードする外因性遺伝子をそのゲノムに安定的に組み入れられた、少なくとも1匹のヒト以外のトランスジェニック動物；および
（b）該動物をその施設内に収容する構造。
【請求項26】  さらに以下を含む、請求項25記載の施設：
（c）トランスジェニック動物の種と同じまたは異なる種の、少なくとも1匹の非トランスジェニック動物。
【請求項27】  トランスジェニック動物が哺乳類である、請求項25記載の施設。
【請求項28】  トランスジェニック動物がブタ、ヒツジ、ヤギ、ウシ、齧歯類、ウサギ、ウマ、イヌ、ネコ、鳥類、および爬虫類からなる群より選択される、請求項25記載の施設。
【請求項29】  トランスジェニック動物が哺乳類であって、非トランスジェニック動物もまた哺乳類である、請求項25記載の施設。
【請求項30】  非トランスジェニック動物が鳥類または爬虫類である、請求項27記載の施設。
【請求項31】  農場、放牧場、屠殺場、研究施設および動物園からなる群より選択される、請求項25記載の施設。
【請求項32】  有機材料が糞、尿、微生物、化学汚染物質およびその副産物、ならびに食品およびその副産物からなる群より選択される、請求項25記載の施設。
【請求項33】  化学汚染物質が除草剤、殺虫剤および肥料からなる群より選択される、請求項32記載の施設。
【請求項34】  下記の段階を含む、尿中の物質を変化させるインビボ法：
（a）トランスジェニック動物の尿中において第二の物質を変化させる第一の物質をコードする外因性遺伝子をそのゲノムに安定的に組み入れられた、ヒト以外のトランスジェニック動物を製造する段階。
【請求項35】  動物が哺乳類である、請求項34記載の方法。
【請求項36】  トランスジェニック動物がブタ、ヒツジ、ヤギ、ウシ、齧歯類、ウサギ、ウマ、イヌ、ネコ、鳥類、および爬虫類からなる群より選択される、請求項34記載の方法。
【請求項37】  哺乳類がブタである、請求項36記載の方法。
【請求項38】  第一の物質が第二の物質を分解する、請求項34記載の方法。
【請求項39】  第一の物質が蛋白質である、請求項38記載の方法。
【請求項40】  蛋白質が酵素である、請求項39記載の方法。
【請求項41】  酵素が図７に記載の酵素からなる群より選択される、請求項40記載の方法。
【請求項42】  有機材料を分解または解毒する蛋白質をヒト以外のトランスジェニック動物の尿中に生成させるためのDNA構築物であって、
（a）尿管特異的プロモーターおよびエンハンサー配列を含む5'発現調節配列と
（b）該蛋白質をコードするcDNAまたはゲノムDNA配列、および該蛋白質をトランスジェニック動物の尿中に分泌させるために有効なシグナル配列と
（c）その結果尿管細胞において該DNA配列の発現が起こる、ポリアデニル化配列を含む3'調節配列とを含み、
該動物の尿中に該蛋白質が生成されるように、該DNA構築物において(a)、(b)、および(c)が機能的に結合されている構築物。
【請求項43】  （a）および／または（c）が、ウロモジュリン、ウロプラキン、レニン、エリスロポエチン、アポリポ蛋白質E、アクアポリン、ネフロカルシン、オステオポンチン-k、ウロポンチン、および尿カリクレインからなる群より選択される蛋白質をコードする遺伝子由来の配列である、請求項42記載のDNA構築物。
【請求項44】  （b）の蛋白質が図７に記載の酵素からなる群より選択される、請求項42記載のDNA構築物。
【請求項45】  以下を含む、ヒト以外のトランスジェニック動物の尿中に蛋白質を生成する方法：
（a）蛋白質をコードする外因性の遺伝子に機能的に結合した、腎臓特異的プロモーターを含む、5'発現調節配列を含む、外因性遺伝子コンストラクトをゲノムに安定的に組み入れられた、ヒト以外のトランスジェニック動物を提供する段階；
（b）蛋白質をコードする外因性の遺伝子を発現させ、該トランスジェニック動物の尿中に蛋白質を分泌させる段階；および
（c）該動物由来の蛋白質を含む尿を収集する段階。
【請求項46】  さらに以下の段階を含む、請求項45記載の方法：
（d）尿由来の蛋白質を分離する段階。
【請求項47】  蛋白質がプロトロンビン、第VII因子、第IX因子、プロテインC、プロテインS、第V因子、第VIII因子、α1-アンチトリプシン、アンチトロンビンIII、フィブリノーゲン、アルブミン、免疫グロブリン、ホルモン、増殖因子、エリスロポイエチン、骨形態形成蛋白質、酵素、および酵素阻害剤、またはイオンチャンネル蛋白質である、請求項45記載の方法。
【請求項48】  ホルモンが成長ホルモンである、請求項47記載の方法。
【請求項49】  増殖因子がトランスフォーミング増殖因子である、請求項47記載の方法。
【請求項50】  酵素がプロテアーゼ、グリコシルトランスフェラーゼ、ホスホリラーゼ、キナーゼ、またはγカルボキシラーゼである、請求項47記載の方法。
【請求項51】  酵素がエクスサーモフィリック（exthermophilic）または好熱性生物から得られる、請求項47記載の方法。
【請求項52】 5'発現調節配列がウロモジュリン遺伝子、レニン遺伝子、エリスロポイエチン遺伝子、ウロポンチン遺伝子、ネフロカルシン遺伝子、またはアクアポリン遺伝子から得られる、請求項45記載の方法。
【請求項53】  腎臓特異的プロモーターがウロモジュリンプロモーターである、請求項45記載の方法。
【請求項54】  トランスジェニック動物が哺乳類である、請求項45記載の方法。
【請求項55】  トランスジェニック動物がブタ、ヒツジ、ヤギ、ウシ、齧歯類、ウサギ、ウマ、イヌ、ネコ、鳥類、または爬虫類である、請求項45記載の方法。
【請求項56】  その尿中に蛋白質を生成するヒト以外のトランスジェニック動物であって、ここで該トランスジェニック動物の尿中で検出可能な蛋白質をコードする外因性の遺伝子に機能的に結合した、腎臓特異的プロモーターを含む、5'発現調節配列を含む、外因性遺伝子コンストラクトをゲノムに安定的に組み入れられた、ヒト以外のトランスジェニック動物。
【請求項57】  蛋白質がプロトロンビン、第VII因子、第IX因子、プロテインC、プロテインS、第V因子、第VIII因子、α1-アンチトリプシン、アンチトロンビンIII、フィブリノーゲン、アルブミン、免疫グロブリン、ホルモン、増殖因子、エリスロポイエチン、骨形態形成蛋白質、酵素、および酵素阻害剤、またはイオンチャンネル蛋白質である、請求項56記載の動物。
【請求項58】  ホルモンが成長ホルモンである、請求項57記載の動物。
【請求項59】  増殖因子がトランスフォーミング増殖因子である、請求項57記載の動物。
【請求項60】  酵素がプロテアーゼ、グリコシルトランスフェラーゼ、ホスホリラーゼ、キナーゼ、またはγカルボキシラーゼである、請求項57記載の動物。
【請求項61】  酵素がエクスサーモフィリックまたは好熱性生物から得られる、請求項57記載の動物。
【請求項62】  5'発現調節配列がウロモジュリン遺伝子、レニン遺伝子、エリスロポイエチン遺伝子、ウロポンチン遺伝子、ネフロカルシン遺伝子、またはアクアポリン遺伝子から得られる、請求項56記載の動物。
【請求項63】  腎臓特異的プロモーターがウロモジュリンプロモーターである、請求項56記載の動物。
【請求項64】  トランスジェニック動物が哺乳類である、請求項56記載の動物。
【請求項65】  トランスジェニック動物がブタ、ヒツジ、ヤギ、ウシ、齧歯類、ウサギ、ウマ、イヌ、ネコ、鳥類、または爬虫類である、請求項56記載の動物。
【請求項66】  請求項56記載の動物によって生成された組み替え蛋白質を含む尿。